(57)【要約】      （修正有）【課題】デザイン的に色表現に優れているのみならず、特殊印刷のような質感等を表現することも可能な表示体及び表示方法の提供。【解決手段】表示体は、表示部材２０と表示部材３０を備え、表示部材２０の一方の面に複数の画素２２を有し、表示部材３０の一方の面に隠蔽領域を有し、画素２２は、長尺状の単位パターン２３（Ｙ），（Ｍ），（Ｃ）が幅方向Ｄに隣接して繰り返し配置されることによって構成され、隣接する単位パターン２３（Ｙ），（Ｍ），（Ｃ）の色は互いに異なり、隠蔽領域は、長尺状の視認部３４と隠蔽部３６とが幅方向Ｄに交互に配置されることによって構成され、隠蔽部３６は視認部３４よりも透過率が低く、表示部材２０と表示部材３０とが重ね合わされた場合、重なり合う画素２２と隠蔽領域において、画素２２に配置された単位パターン２３（Ｙ），（Ｍ），（Ｃ）の長尺方向Ｆ１と、隠蔽領域の長尺方向Ｆ２とが一致しないことを特徴とする。【選択図】図２
2019116036.tif 000002
【特許請求の範囲】
【請求項１】
第１の表示部材と第２の表示部材を備える表示体であって、
前記第１の表示部材の一方の面には複数の画素を有し、
前記第２の表示部材の一方の面には隠蔽領域を有し、
前記画素は、予め定められた幅を有する長尺状の単位パターンが幅方向に隣接して繰り返し配置されることによって構成され、隣接する前記単位パターンの色は互いに異なり、
前記隠蔽領域は、それぞれが予め定められた幅を有する長尺状の視認部と隠蔽部とが幅方向に交互に配置されることによって構成され、前記隠蔽部は前記視認部よりも透過率が低く、
前記第１の表示部材と、前記第２の表示部材とが重ね合わされた場合、互いに重なり合う前記画素と前記隠蔽領域において、前記画素に配置された前記単位パターンの長尺方向と、前記隠蔽領域の長尺方向とが一致しないことを特徴とする、表示体。
【請求項２】
前記第１の表示部材と、前記第２の表示部材とが重ね合わされた場合、互いに重なり合う前記画素に配置される前記単位パターンによって形成される形状と前記隠蔽領域に配置される前記隠蔽部によって形成される形状とは、互いに追随していることを特徴とする、請求項１に記載の表示体。
【請求項３】
前記単位パターンが繰り返し配置される配置周期と、前記視認部または前記隠蔽部が配置される配置周期とが異なることを特徴とする、請求項１または２に記載の表示体。
【請求項４】
前記第１の表示部材と、前記第２の表示部材とが重ね合わされた場合、前記視認部の幅によって決定される潜像と、前記隠蔽部の幅によって決定される背景画像とが出現することを特徴とする、請求項１乃至３のうち何れか１項に記載の表示体。
【請求項５】
前記潜像と前記背景画像とが出現するとともにモアレが出現し、
前記モアレの出現度合は、前記第２の表示部材の厚みに応じて、または、前記第１の表示部材と前記第２の表示部材との間の隔離距離に応じて変動することを特徴とする、請求項４に記載の表示体。
【請求項６】
前記画素の幅方向における空間周波数と、前記隠蔽領域の幅方向における空間周波数と、前記出現したモアレの空間周波数とのうちの最大値が、３６（ｃｙｃｌｅ／ｄｅｇ）以下であることを特徴とする、請求項５に記載の表示体。
【請求項７】
前記各画素の周囲に、前記単位パターンが配置されない未配置領域を有し、
前記各未配置領域の形状はそれぞれ等しいことを特徴とする、請求項１乃至６のうち何れか１項に記載の表示体。
【請求項８】
前記複数の画素のうち、少なくとも1つの画素は、他の画素とは異なる大きさあるいは形状を有することを特徴とする、請求項１乃至６のうち何れか１項に記載の表示体。
【請求項９】
前記各画素において配置される前記単位パターンの数が等しいことを特徴とする、請求項１乃至８のうち何れか１項に記載の表示体。
【請求項１０】
前記各画素の形状は、丸形状または多角形状であることを特徴とする、請求項１乃至９のうち何れか１項に記載の表示体。
【請求項１１】
前記画素内における前記単位パターンの幅は、すべて同一であることを特徴とする、請求項１乃至１０のうち何れか１項に記載の表示体。
【請求項１２】
前記画素内において幅が異なる前記単位パターンを含むことを特徴とする、請求項１乃至１０のうち何れか１項に記載の表示体。
【請求項１３】
前記画素における前記単位パターンの配置順序は、前記各画素毎に任意に決定されることを特徴とする、請求項１乃至１２のうち何れか１項に記載の表示体。
【請求項１４】
前記各画素は、前記第１の表示部材において、ランダムに配置されたことを特徴とする、請求項１乃至１３のうち何れか１項に記載の表示体。
【請求項１５】
前記複数の画素のうち少なくとも１つの画素は、隣接する画素と接触して配置されることを特徴とする、請求項１乃至１３のうち何れか１項に記載の表示体。
【請求項１６】
前記第２の表示部材は、透過性を有する透明フィルム、シート、およびトレーシングペーパのうちの何れかによって形成されることを特徴とする、請求項１乃至１５のうち何れか１項に記載の表示体。
【請求項１７】
前記第２の表示部材の透過率は、７０％以上であることを特徴とする、請求項１乃至１６のうち何れか１項に記載の表示体。
【請求項１８】
前記第１の表示部材と前記第２の表示部材との表面間の隔離距離は、前記画素の幅と、前記隠蔽部と前記視認部との合計幅とのうちの何れか小さい方に対して、１／１０倍以上２００倍以下であることを特徴とする、請求項１乃至１７のうち何れか１項に記載の表示体。
【請求項１９】
第１の表示部材と第２の表示部材を備える表示体を用いた表示方法であって、
前記第１の表示部材の一方の面には複数の画素を有し、前記第２の表示部材の一方の面には隠蔽領域を有し、
前記画素は、予め定められた幅を有する長尺状の単位パターンが幅方向に隣接して繰り返し配置されることによって構成され、隣接する前記単位パターンの色は互いに異なり、
前記隠蔽領域は、それぞれが予め定められた幅を有する長尺状の視認部と隠蔽部とが幅方向に交互に配置され、前記隠蔽部は前記視認部よりも透過率が低く、
前記第１の表示部材と、前記第２の表示部材とが重ね合わされた場合、互いに重なり合う前記画素と前記隠蔽領域とは、長尺方向とが一致しないように構成され、
前記表示体における、前記第１の表示部材と、前記第２の表示部材とが重ね合わされた場合に出現する、前記視認部の幅によって決定される潜像と、前記隠蔽部の幅によって決定される背景画像とによって、所望の絵柄を表示することを特徴とする、表示方法。
【発明の詳細な説明】
【技術分野】
【０００１】
本発明は、潜像を利用して所望の絵柄を表示させる表示体および表示方法に関する。
【背景技術】
【０００２】
従来、例えば特許文献１および特許文献２のように、潜像を利用して所望の絵柄を表示させる印刷物が知られている。
【先行技術文献】
【特許文献】
【０００３】
【特許文献１】特開２００９−２０２５７０号公報
【特許文献２】特開２０１３−２４４６４０号公報
【発明の概要】
【発明が解決しようとする課題】
【０００４】
しかしながら、従来のこの種の印刷物では、デザイン的に色表現に乏しいという問題がある。
【０００５】
このため、潜像を利用して所望の絵柄を表示することができる、色表現に優れた表示体および表示方法が望まれている。
【０００６】
本発明はこのような事情に鑑みてなされたものであり、デザイン的に色表現に優れているのみならず、特殊印刷のような質感等を表現することも可能な表示体および表示方法を提供することを目的とする。
【課題を解決するための手段】
【０００７】
上記の目的を達成するために、本発明では、以下のような手段を講じる。
【０００８】
すなわち、第１の態様の表示体は、第１の表示部材と第２の表示部材を備え、第１の表示部材の一方の面には複数の画素を有し、第２の表示部材の一方の面には隠蔽領域を有し、画素は、予め定められた幅を有する長尺状の単位パターンが幅方向に隣接して繰り返し配置されることによって構成され、隣接する単位パターンの色は互いに異なり、隠蔽領域は、それぞれが予め定められた幅を有する長尺状の視認部と隠蔽部とが幅方向に交互に配置されることによって構成され、隠蔽部は視認部よりも透過率が低く、第１の表示部材と、第２の表示部材とが重ね合わされた場合、互いに重なり合う画素と隠蔽領域において、画素に配置された単位パターンの長尺方向と、隠蔽領域の長尺方向とが一致しないことを特徴とする。
【０００９】
第２の態様の表示体は、第１の態様の表示体において、第１の表示部材と、第２の表示部材とが重ね合わされた場合、互いに重なり合う画素に配置される単位パターンによって形成される形状と隠蔽領域に配置される隠蔽部によって形成される形状とは、互いに追随していることを特徴とする。
【００１０】
第３の態様の表示体は、第１または第２の態様の表示体において、単位パターンが繰り返し配置される配置周期と、視認部または隠蔽部が配置される配置周期とが異なることを特徴とする。
【００１１】
第４の態様の表示体は、第１乃至３のうち何れかの態様の表示体において、第１の表示部材と、第２の表示部材とが重ね合わされた場合、視認部の幅によって決定される潜像と、隠蔽部の幅によって決定される背景画像とが出現することを特徴とする。
【００１２】
第５の態様の表示体は、第４の態様の表示体において、潜像と背景画像とが出現するとともにモアレが出現し、モアレの出現度合は、第２の表示部材の厚みに応じて、または、第１の表示部材と第２の表示部材との間の隔離距離に応じて変動することを特徴とする。
【００１３】
第６の態様の表示体は、第５の態様の表示体において、画素の幅方向における空間周波数と、隠蔽領域の幅方向における空間周波数と、出現したモアレの空間周波数とのうちの最大値が、３６（ｃｙｃｌｅ／ｄｅｇ）以下であることを特徴とする。
【００１４】
第７の態様の表示体は、第１乃至６のうち何れかの態様の表示体において、各画素の周囲に、単位パターンが配置されない未配置領域を有し、各未配置領域の形状はそれぞれ等しいことを特徴とする。
【００１５】
第８の態様の表示体は、第１乃至６のうち何れかの態様の表示体において、複数の画素のうち、少なくとも1つの画素は、他の画素とは異なる大きさあるいは形状を有することを特徴とする。
【００１６】
第９の態様の表示体は、第１乃至８のうち何れかの態様の表示体において、各画素において配置される単位パターンの数が等しいことを特徴とする。
【００１７】
第１０の態様の表示体は、第１乃至９のうち何れかの態様の表示体において、各画素の形状は、丸形状または多角形状であることを特徴とする。
【００１８】
第１１の態様の表示体は、第１乃至１０のうち何れかの態様の表示体において、画素内における単位パターンの幅は、すべて同一であることを特徴とする。
【００１９】
第１２の態様の表示体は、第１乃至１０のうち何れかの態様の表示体において、画素内において幅が異なる単位パターンを含むことを特徴とする。
【００２０】
第１３の態様の表示体は、第１乃至１２のうち何れかの態様の表示体において、画素における単位パターンの配置順序は、各画素毎に任意に決定されることを特徴とする。
【００２１】
第１４の態様の表示体は、第１乃至１３のうち何れかの態様の表示体において、各画素は、第１の表示部材において、ランダムに配置されたことを特徴とする。
【００２２】
第１５の態様の表示体は、第１乃至１３のうち何れかの態様の表示体において、複数の画素のうち少なくとも１つの画素は、隣接する画素と接触して配置されることを特徴とする。
【００２３】
第１６の態様の表示体は、第１乃至１５のうち何れかの態様の表示体において、第２の表示部材は、透過性を有する透明フィルム、シート、およびトレーシングペーパのうちの何れかによって形成されることを特徴とする。
【００２４】
第１７の態様の表示体は、第１乃至１６のうち何れかの態様の表示体において、第２の表示部材の透過率は、７０％以上であることを特徴とする。
【００２５】
第１８の態様の表示体は、第１乃至１７のうち何れかの態様の表示体において、第１の表示部材と第２の表示部材との表面間の隔離距離は、単位パターンの周期と、隠蔽部と視認部との合計幅とのうちの何れか小さい方に対して、１／１０倍以上２００倍以下であることを特徴とする。
【００２６】
第１９の態様の表示方法は、第１の表示部材と第２の表示部材を備える表示体を用いた表示方法であって、第１の表示部材の一方の面には複数の画素を有し、第２の表示部材の一方の面には隠蔽領域を有し、画素は、予め定められた幅を有する長尺状の単位パターンが幅方向に隣接して繰り返し配置されることによって構成され、隣接する単位パターンの色は互いに異なり、隠蔽領域は、それぞれが予め定められた幅を有する長尺状の視認部と隠蔽部とが幅方向に交互に配置され、隠蔽部は視認部よりも透過率が低く、第１の表示部材と、第２の表示部材とが重ね合わされた場合、互いに重なり合う画素と隠蔽領域とは、長尺方向とが一致しないように構成され、表示体における、第１の表示部材と、第２の表示部材とが重ね合わされた場合に出現する、視認部の幅によって決定される潜像と、隠蔽部の幅によって決定される背景画像とによって、所望の絵柄を表示することを特徴とする。
【発明の効果】
【００２７】
本発明によれば、デザイン的に色表現に優れているのみならず、特殊印刷のような質感等を表現することも可能な表示体および表示方法を実現することができる。
【図面の簡単な説明】
【００２８】
【図１】本発明の実施形態に係る表示体１０の構成例を示す斜視図である。
【図２】画素が配置された表示部材の構成例を示す平面図と、画素が配置された表示部材に隠蔽領域が配置された表示部材が重ね合わされた場合に出現する絵柄の例を示す平面図である。
【図３】画素の詳細な配置例を示す平面図と、画素に隠蔽領域が重ね合わされた状態を示す平面図である。
【図４】画素（上段図）と、画素に隠蔽領域が重ね合わされた状態を示す平面図（下段図）の一例である。
【図５】単位パターンによって形成される形状と、隠蔽部によって形成される追随する領域との例を示す平面図である。
【図６】画素（上段図）と、画素に隠蔽領域が重ね合わされた状態を示す平面図（下段図）の別の例である。
【図７】変形例１に適用される表示部材における画素の例と、画素に隠蔽領域が重ね合わされた状態とを示す平面図である。
【図８】変形例１に適用される表示部材における画素の別の例と、画素に隠蔽領域が重ね合わされた状態とを示す平面図である。
【図９】変形例２に適用される表示部材における画素の配置例と、画素に隠蔽領域が重ね合わされた状態とを示す平面図である。
【図１０】サンプル表示体の基本構成例を示す斜視図である。
【図１１】サンプル表示体の基本構成例および観察条件を示す側面図である。
【図１２】サンプル表示体の緒元一覧を示す図である。
【図１３】サンプル表示体の一例を示す正面図である。
【図１４】隔離距離が０（ｍｍ）における評価結果を示す図である。
【図１５】隔離距離が１０（ｍｍ）における評価結果を示す図である。
【図１６】隔離距離が１００（ｍｍ）における評価結果を示す図である。
【発明を実施するための形態】
【００２９】
以下に、本発明の各実施形態に係る表示方法を実現する表示体を、図面を参照して説明する。
【００３０】
図１は、本発明の実施形態に係る表示体１０の構成例を示す斜視図である。
【００３１】
表示体１０は、一方の面に複数の画素２２を有する例えば印刷物のような表示部材２０と、一方の面に隠蔽領域３２を有する例えばフィルムのような表示部材３０とを重ね合わせることによって構成される。
【００３２】
図２は、表示部材２０の構成例を示す平面図（ａ）と、表示部材２０に表示部材３０が重ね合わされた場合に出現する絵柄の例を示す平面図（ｂ）である。
【００３３】
図２（ａ）の一部拡大図に示すように、各画素２２は、それぞれが予め定められた幅ｄ１を有する長尺状の少なくとも２種類以上の単位パターン２３が、幅方向Ｄおよび長尺方向Ｆ１に隣接して規則的に繰り返し配置されることによって構成される。画素２２が配置されるピッチは、幅方向Ｄと長尺方向Ｆ１とで同一であっても、異なっていても良い。
【００３４】
各画素２２の周囲には、図２（ａ）の一部拡大図において点線で囲われているように、単位パターン２３が配置されない未配置領域Ｇが存在する。
【００３５】
図２（ａ）に示す例では、図２（ａ）の一部拡大図に示すように、単位パターン２３は、シアン、マゼンダ、イエローに対応する３種類の単位パターン２３（Ｃ）、２３（Ｍ）、２３（Ｙ）からなり、単位パターン２３（Ｃ）、２３（Ｍ）、２３（Ｙ）は何れも幅ｄ１を有する。また、図示していないが、単位パターン２３の幅は、種類毎に任意の値とするなど、種類毎に異なっていても良い。
【００３６】
また、各画素２２において、どの種類の単位パターン２３から配置が開始され、これら複数種類の単位パターン２３がどのような順序で配置されるのかは、各画素２２毎に異なり得る。
【００３７】
例えば、ある画素２２では、図中左側から単位パターン２３（Ｙ）から開始され、それ以降は単位パターン２３（Ｍ）⇒単位パターン２３（Ｃ）⇒単位パターン２３（Ｙ）・・・という順に配置され、他の画素２２では、図中左側から単位パターン２３（Ｍ）から開始され、それ以降は単位パターン２３（Ｃ）⇒単位パターン２３（Ｙ）⇒単位パターン２３（Ｍ）・・・という順に配置され、また別の画素２２では、図中左側から単位パターン２３（Ｃ）から開始され、それ以降は単位パターン２３（Ｙ）⇒単位パターン２３（Ｍ）⇒単位パターン２３（Ｃ）・・・という順に配置されて良い。
【００３８】
一方、複数種類の単位パターン２３が画素２２において配置される順序は画素２２毎に異なっていても良い。例えば、図３（ａ）に例示されるように、画素２２（１）、（２）、（３）、（５）、（６）については、図中左側から順に、単位パターン２３（Ｙ）から始まって、単位パターン２３（Ｃ）⇒単位パターン（Ｍ）・・・という順に配置される一方、画素（４）、（７）、（８）については、図中左側から順に、単位パターン２３（Ｙ）から始まって、単位パターン２３（Ｍ）⇒単位パターン２３（Ｃ）・・・というように、画素２２（１）、（２）、（３）、（５）、（６）と、画素（４）、（７）、（８）とでは、単位パターン２３（Ｃ）と単位パターン２３（Ｍ）との順序が逆転している。
【００３９】
このように、画素２２において、複数種類の単位パターン２３（Ｃ）、（Ｍ）、（Ｙ）のうちのどの単位パターン２３から配置を開始しても、あるいは、どの順序でこれら複数種類の単位パターン２３を配置しても良い。
【００４０】
しかしながら、各画素２２において配置される単位パターン２３の数は等しい。これによって、画素２２毎にどの単位パターン２３から繰り返し配置が開始されようとも、シアン、マゼンダ、イエローはそれぞれ並置混色によって、一定距離から見たとき、一様に見える。
【００４１】
一方、隠蔽領域３２は、図１に示すように、それぞれが予め定められた幅ｄ２、ｄ３を有する長尺状の視認部３４と隠蔽部３６とが幅方向Ｄに交互に配置されることによって構成される。このとき、幅ｄ１と幅ｄ２とが異なることによって、あるいは、幅ｄ１と幅ｄ３とが異なることによって、表示部材２０の上に表示部材３０が重ね合わされた場合、例えば黒色からなる隠蔽部３６によって隠蔽される単位パターン２３が異なるようになる。
【００４２】
このような表示部材３０として、例えば、視認部３４として機能する透明と、隠蔽部３６として機能する黒色で着色されてなる万線パターンを有する透明フィルムを利用することが好適であるが、透過性を有するものであれば、透明フィルムに限定されず、シート、およびトレーシングペーパであっても良い。また、隠蔽部３６は、単位パターン２３を隠蔽できるのであれば、黒色に限定されるものではなく、他の任意の色で着色されていても良い。また、隠蔽部３６として機能する程度の遮光性を有するフィルムや画用紙を用意し、視認部３４にあたる領域を切り抜いて使用してもよい。すなわちフィルムや画用紙が隠蔽部３６を形成し、穴が開いていて窓になっている領域を視認部３４としても同様の効果を得ることができる。
【００４３】
これによって、視認される単位パターン２３の色の比率が領域毎に異なるようになるため、その並置混色によって、領域毎に見かけ上の色が異なるようになる。この現象を利用して、表示部材２０と、表示部材３０とが重ね合わされた場合、視認部３４の幅ｄ２によって決定される潜像と、隠蔽部３６の幅ｄ３によって決定される背景画像とを出現させることが可能となる。さらには、画素２２の形状、大きさ、配置、画素２２に配置される単位パターン２３の数、幅、配置順等のパラメータを調整することによって、所望の絵柄を出現させることが可能となる。さらには、表示部材２０における単位パターン２３の幅ｄ１と、表示部材３０の万線パターンとによって出現するモアレによって、金属光沢のような質感表現が得られるようにもなる。なお、本明細書において、モアレとは、もともとの画素の形状や、隠蔽領域３２の形状とは異なる形状の像が出現する現象のことを言う。従って、モアレは、例えば、図３のように、長尺方向に直線状の単位パターン２３と直線状の隠蔽領域３２とを重ね合わせることによって曲線状の像が出現したり、後述する図６に示すように、曲線のパターン同士を組み合わせることによって、別の曲線状の像が出現する現象を含む。モアレの出現度合は、表示部材３０の厚みに応じて、または、表示部材２０と表示部材３０との表面間の隔離距離に応じて変動する。
【００４４】
図４は、表示部材２０上に配置された四角形状の画素２２（上段図）と、画素２２の上に隠蔽領域３２が重ね合わされた状態を示す平面図（下段図）である。
【００４５】
図４（ａ）は、画素２２に配置された各単位パターン２３の長尺方向Ｆ１が、隠蔽領域３２の長尺方向Ｆ２とが一致している（すなわち、角度差０ｄｅｇである）場合を示し、図４（ｂ）は、長尺方向Ｆ１が、長尺方向Ｆ２から１度ずれている（すなわち、角度差１ｄｅｇである）場合を示し、図４（ｃ）は、長尺方向Ｆ１が、長尺方向Ｆ２から５度ずれている（すなわち、角度差５ｄｅｇである）場合を示す。
【００４６】
図４（ａ）の場合、長尺方向Ｆ１が、長尺方向Ｆ２とが一致しているので、画素２２に隠蔽領域３２が重ね合わされた場合、図４（ａ）における下段図に示すように、隠蔽部３６と、視認部３４から視認される単位パターン２３とは平行となる。
【００４７】
一方、図４（ｂ）、（ｃ）の場合、表示部材２０と、表示部材３０とが重ね合わされた場合、互いに重なり合う画素２２と隠蔽領域３２において、画素２２に配置された単位パターン２３の長尺方向Ｆ１と、隠蔽領域３２の長尺方向Ｆ２とは一致しない。
【００４８】
図４（ｂ）の場合、長尺方向Ｆ１が、長尺方向Ｆ２に対して１度ずれているので、画素２２に隠蔽領域３２が重ね合わされた場合、図４（ｂ）における下段図に示すように、隠蔽部３６に対して、視認部３４から視認される単位パターン２３は、僅かに傾いている。
【００４９】
図４（ｃ）の場合、長尺方向Ｆ１が、長尺方向Ｆ２に対して５度ずれているので、画素２２に隠蔽領域３２が重ね合わされた場合、図４（ｃ）における下段図に示すように、隠蔽部３６に対して、視認部３４から視認される単位パターン２３は、図４（ｂ）の場合よりも大きく傾いている。
【００５０】
表示部材２０と、表示部材３０とが重ね合わされた場合、互いに重なり合う画素２２における単位パターン２３によって形成される形状と、隠蔽領域３２に配置される隠蔽部３６によって形成される形状とは、互いに追随している。
【００５１】
例えば、図４では、各上段図に示すように、単位パターン２３は直線形状をしている。また、各下段図に示すように、隠蔽部３６もまた、直線形状をしている。この場合、互いに重なり合う画素２２に配置された単位パターン２３によって形成される形状と、隠蔽領域３２に配置された隠蔽部３６によって形成される形状とは、互いに追随している。
【００５２】
また、図５は、単位パターン２３によって形成される形状と、隠蔽部３６によって形成される形状とが互いに追随していることを示す別の例である。図５（ａ）では、単位パターン２３によって形成される形状が、ジグザグ形状であり、図５（ｂ）では、隠蔽部３６によって形成される形状が、それに追随するようなジグザグ形状をしている。
【００５３】
さらには、単位パターン２３によって形成される形状と、隠蔽部３６によって形成される形状とがともに曲線形状である場合であっても、互いに追随することができる。図６はその例を示す平面図であって、図６の上段図に示すように、画素２２に配置された単位パターン２３によって形成される形状と、図６の下段図に示すように、隠蔽部３６によって形成される形状とは、互いに追随した曲線形状となっている。
【００５４】
（変形例１）
次に、本発明の実施形態に係る表示体１０の変形例１を図７および図８を用いて説明する。
【００５５】
上記実施形態では、画素２２が丸形状である例について説明した。しかしながら、画素２２の形状は丸形状に限定されるものではなく、多角形状または任意の形状とすることが可能である。
【００５６】
図７（ａ）および図８（ａ）は、変形例１に適用される表示部材２０における画素の例を示す平面図である。
【００５７】
図７（ａ）は、表示部材２０上に、菱形形状（四角形状）の画素２２が、幅方向Ｄに等ピッチで配置され、長尺方向Ｆ１に対しても等ピッチで配置されている例を示している。
【００５８】
また、図８（ａ）は、表示部材２０上に、星形形状（任意の形状）の画素２２が、幅方向Ｄに等ピッチで配置され、長尺方向Ｆ１に対しても等ピッチで配置されている例を示している。
【００５９】
図７（ｂ）は、図７（ａ）に示す画素２２に、隠蔽部３６として万線パターンが適用された表示部材３０が重ね合わされた状態を示す平面図である。
【００６０】
図８（ｂ）は、図８（ａ）に示す画素２２に、隠蔽部３６として万線パターンが適用された表示部材３０が重ね合わされた状態を示す平面図である。
【００６１】
（変形例２）
次に、本発明の実施形態に係る表示体１０の変形例２を図９を用いて説明する。
【００６２】
図９（ａ）は、変形例２に適用される表示部材２０における画素の配置例を示す平面図であり、図９（ｂ）は、図９（ａ）に示す表示部材２０に、隠蔽部３６として万線パターンが適用された表示部材３０が重ね合わされた状態を示す平面図である。
【００６３】
図９（ａ）に示す表示部材２０は、画素２２（Ｌ）と画素２２（Ｓ）とを有するように、形状は同じ丸形状であるが、大きさの異なる画素２２を有している。
【００６４】
また、図９（ａ）に示す表示部材２０では、画素２２（Ｌ）はランダムに配置されている。
【００６５】
さらに、図９（ａ）に示す表示部材２０では、隣接する画素２２と接触して配置された画素２２を有する。
【００６６】
次に、上記実施形態および変形例で説明した本発明の表示体１０の作用について説明する。
【００６７】
すなわち、本発明の表示体１０によれば、表示部材２０と表示部材３０とが重ね合わされた場合に出現する視認部３４の幅ｄ２によって決定される潜像と、隠蔽部３６の幅ｄ３によって決定された背景画像とによって、所望の絵柄を表示することができる。
【００６８】
特に、画素２２を複数種類の単位パターン２３によって構成することによって、画素２２を、カラー表示できるようになるので、色表現豊かで、かつ、カラーの絵柄を実現することが可能となる。
【００６９】
また、表示部材３０における視認部３４と隠蔽部３６の幅や色を変化させることによって、出現する絵柄のデザインや色を容易に変化させることが可能となる。これによって、アイキャッチなどデザイン性の高い絵柄を実現することも可能となる。
【００７０】
さらには、各画素２２を領域化することによって、出現する絵柄のデザイン性を確保でき、また潜像の作成を容易にすることもできる。逆に、画素２２間で色や構成が近いものを配置することによって、表示部材２０の全面が一様であると見せかけることによって、潜像を発現させにくくすることもできる。
【００７１】
さらにまた、表示部材２０に配置された画素２２と、表示部材３０の隠蔽領域３２による視認部３４と隠蔽部３６とのパターンによってモアレを発生させることよって、見かけの発色をグラデーション状にすることができるので、通常の印刷物にない光沢感や特色インキなどの特殊印刷のような効果を、通常の印刷プロセスから発現させることも可能となる。また、モアレによる質感表現も容易となり、潜像の表現との両立を図ることも可能となる。
【００７２】
上述したように、本発明の表示方法を実現する表示体１０によれば、上記のような作用により、デザイン的にも色表現上も優れているのみならず、特殊印刷のような質感等を表現することも可能となる。特に、デザイン的に自由度が高く、２色以上の表現からなる潜像の提供を、既存の印刷プロセスから実現することが可能となる。
【実施例】
【００７３】
実施例では、上述したような表示体１０の特性を評価するために、図１０および図１１に示すようなサンプル表示体１００を対象に、多数の観察者によってなされた目視評価について説明する。
【００７４】
図１０は、評価用のサンプル表示体１００の基本構成例を示す斜視図である。
【００７５】
図１１は、評価用のサンプル表示体１００の基本構成例および観察条件を示す側面図である。
【００７６】
図１０および図１１に示すように、サンプル表示体１００は、表示部材２０の上に、表示部材３０が重ね合わされるが、表示部材２０と表示部材３０とは密着しておらず、表面間の隔離距離ｇを保って互いに平行に配置されている。
【００７７】
このようなサンプル表示体１００は、表示部材３０の表面から視認距離ｈを隔てて、正面方向から観察者Ｍによって観察される。
【００７８】
表示部材２０に配置された各画素２２は、何れも長尺方向Ｆ１に対して長辺を有する四角形状であるシアンの単位パターン２３（Ｃ）、マゼンダの単位パターン２３（Ｍ）、およびイエローの単位パターン２３（Ｙ）を図中左側から配置して構成され、図中におけるＰＧは、１つの画素２２の幅に相当する。また、図１０に示す例では、単位パターン２３（Ｃ）、２３（Ｍ）、２３（Ｙ）の幅はそれぞれ等しい。よって、単位パターン２３（Ｃ）、２３（Ｍ）、２３（Ｙ）それぞれの幅はＰＧ／３である。
【００７９】
表示部材３０における隠蔽領域３２には、長尺方向Ｆ２に対して長辺を有する四角形状である視認部３４と隠蔽部３６とが幅方向に交互に配置されることによって構成され、図中におけるＰＳは、１つの隠蔽領域３２の幅に相当する。また、図１０に示す例では、視認部３４と隠蔽部３６との幅は等しい。よって、視認部３４と隠蔽部３６それぞれの幅はＰＳ／２である。また、視認部３４よりも隠蔽部３６の方が、低い透過率を有している。
【００８０】
なお、図１０における□は、単位パターン２３と、視認部３４および隠蔽部３６との大きさを比較し易くするための補助線であり、実際に区画されたものではない。
【００８１】
このような基本構成に対して、画素２２の幅ＰＧおよび隠蔽領域３２の幅ＰＳ、ならびに、表示部材３０の材質を変化させることによって、図１２に示す番号１〜１７のような１７個のサンプル表示体１００を作成した。
【００８２】
なお、表示部材２０には、コピー用紙（品名：コピー用紙高白色タイプ、販売元：モノタロウ、白色度：約９４．５［％］、坪量：６５．２［ｇ／ｍ２］、紙厚：８９［μｍ］）を用いた。表示部材３０には、透明フィルム（品名：ＯＨＰフィルム（カラーＬＢＰ＆カラーＰＰＣ用）、販売元：コクヨ、材質：Ｒ−ＰＥＴフィルム、厚さ：０．１０［ｍｍ］）、トレーシングペーパ（品名：ナチュラルトレーシングペーパ、販売元：コクヨ、坪量７５［ｇ／ｍ２］）を用いた。また、印刷機には、レーザープリンタ（沖データ ＭＩＣＲＯＬＩＮＥ  ＶＩＮＣＨ  Ｃ９３１ｄｎ）を用いた。この印刷機を用いて、表示部材３０に、隠蔽領域３２を印刷すると、隠蔽部３６のインクは光を透過した。
【００８３】
このような条件の下、図１２に示す１７個のサンプル表示体１００に対し、３ケースの隔離距離ｇ（０（ｍｍ）、１０（ｍｍ）、１００（ｍｍ））において、図１３に示すように、長尺方向Ｆ１と長尺方向Ｆ２とのなす角度θを０ｄｅｇから８０ｄｅｇまで変化させた条件において、サンプル表示体１００によって出現される画像の品質に関する目視評価を行った。なお、隔離距離ｇが０（ｍｍ）である場合、すなわち、表示部材２０と表示部材３０とを密着させようとしても、表示部材２０と表示部材３０とが、撓んで密着していない箇所が所々存在した。
【００８４】
観察方法としては、静置したサンプル表示体１００に対し、３００（ｍｍ）程度の視認距離ｈから、複数の観察者Ｍによって、蛍光灯の下で目視評価を実施し、サンプル表示体１００から出現される画像から、金属光沢のような特殊印刷感が得られるか否か、得られる場合にはさらにその程度（例えば、メタル紙、メタルインキのようなギラつき、色味を感じるか）を４段階（◎とても良く感じる、○感じる、△やや感じる、×感じない）で評価した。
【００８５】
図１４は、隔離距離ｇが０（ｍｍ）における評価結果を示し、図１５は、隔離距離ｇが１０（ｍｍ）における評価結果を示し、図１６は、隔離距離ｇが１００（ｍｍ）における評価結果を示す。
【００８６】
これら評価結果から、以下のような知見が得られた。
【００８７】
金属光沢のような特殊印刷感は、幅ＰＧおよび幅ＰＳが狭い場合には、隔離距離ｇが小さい方がより強く感じられ、幅ＰＧおよび幅ＰＳが広くなるにつれて、隔離距離ｇが大きい方が強く感じられる。具体的には、幅ＰＧと幅ＰＳとのうちの何れか小さい方に対して、隔離距離ｇを１／１０倍以上２００倍以下とすることが好適である。
【００８８】
また、単純に視認性の観点から、細かすぎると一様にしか見えないため、より高い視覚効果を得るためには、画素２２の幅方向における空間周波数と、隠蔽領域３２の幅方向における空間周波数と、出現したモアレの空間周波数とのうちの最大値が、３６（ｃｙｃｌｅ／ｄｅｇ）以下であることが好適である。
【００８９】
また、表示部材３０としてトレーシングペーパが用いられた番号１６および番号１７のサンプル表示体１００においても、「△やや感じる」という評価結果が得られたことから、表示部材３０としては、フィルムのみならず、トレーシングペーパを用いても効果が得られることが分かった。トレーシングペーパの透過率を測定したところ、７５〜７７％程度であった。したがって、表示部材３０の透過率は、７０％以上あれば十分である。
【００９０】
また、前述したように、サンプル表示体１００において、隠蔽部３６のインクは光を透過するものの、金属光沢のような特殊印刷間が得られるという結果が得られている。したがって、隠蔽部３６は、完全な遮光性を有していなくても良く、視認部３４よりも隠蔽部３６の方が、低い透過率を有していれば良い。
【００９１】
また、前述したように、隔離距離ｇが０（ｍｍ）である場合、表示部材２０と表示部材３０とが、撓んで密着していない箇所が所々存在したが、それによって、金属光沢のような特殊印刷間が得られなくなるということは確認されなかった。また、意図的に撓ませてみることも行ってみたが、同様に、金属光沢のような特殊印刷間が得られなくなるということは確認されなかった。
【００９２】
したがって、前述したように、幅ＰＧおよび幅ＰＳが狭い場合には、隔離距離ｇが小さい方が、また、幅ＰＧおよび幅ＰＳが広くなるにつれて、隔離距離ｇが大きい方が強く感じられるといった金属光沢のような特殊印刷感の効果が支配的であり、表示部材２０と表示部材３０との撓みによる影響はほとんどないということが分かった。
【００９３】
このように、本発明の表示体１０は、デザイン的に色表現に優れているのみならず、特殊印刷のような質感等を表現することも可能であることを確認することができた。
【００９４】
以上、本発明を実施するための最良の形態について、添付図面を参照しながら説明したが、本発明はかかる構成に限定されない。特許請求の範囲の発明された技術的思想の範疇において、当業者であれば、各種の変更例及び修正例に想到し得るものであり、それら変更例及び修正例についても本発明の技術的範囲に属するものと了解される。
【産業上の利用可能性】
【００９５】
本発明の表示体は、印刷物としての利用に限定されず、ガラスのドアや壁の一部として利用することも可能である。
【符号の説明】
【００９６】
１０  表示体、２０  表示部材、２２  画素、２３  単位パターン、３０  表示部材、３２  隠蔽領域、３４  視認部、３６  隠蔽部、１００  サンプル表示体。
【図１】
2019116036.tif 000003
【図２】
2019116036.tif 000004
【図３】
2019116036.tif 000005
【図４】
2019116036.tif 000006
【図５】
2019116036.tif 000007
【図６】
2019116036.tif 000008
【図７】
2019116036.tif 000009
【図８】
2019116036.tif 000010
【図９】
2019116036.tif 000011
【図１０】
2019116036.tif 000012
【図１１】
2019116036.tif 000013
【図１２】
2019116036.tif 000014
【図１３】
2019116036.tif 000015
【図１４】
2019116036.tif 000016
【図１５】
2019116036.tif 000017
【図１６】
2019116036.tif 000018